(57)【要約】      （修正有）【課題】投影データを転送又は保管するためのデータ量を効果的に減らすことができる医用画像処理装置を提供する。【解決手段】医用画像処理装置４０は、収集部と、圧縮部４５３とを備える。収集部は、複数の検出素子列からなるＸ線検出器から、複数ビューに対応する複数の投影データを収集する。圧縮部は、複数の投影データを圧縮する。デュアルエナジースキャンの場合は第１のエネルギー成分と第２のエネルギー成分に分け、投影データの相関性を利用して疑似的な動画像として非可逆圧縮によりデータを圧縮する。【選択図】図２
2020005795.tif 000002
【特許請求の範囲】
【請求項１】
複数の検出素子列からなるＸ線検出器から、複数ビューに対応する複数の投影データを収集する収集部と、
前記複数の投影データを圧縮する圧縮部と、
を備える医用画像処理装置。
【請求項２】
前記Ｘ線検出器からの複数ビュー分の検出データを、前記複数の投影データとして収集する、
請求項１に記載の医用画像処理装置。
【請求項３】
前記Ｘ線検出器からの複数ビュー分の検出データに対して前処理を施して、複数ビュー分の生データを生成する前処理部をさらに備え、
前記収集部は、前記複数ビュー分の生データを、前記複数の投影データとして収集する、
請求項１に記載の医用画像処理装置。
【請求項４】
前記圧縮部は、前記複数の投影データのうち、隣接する投影データ同士の相関性を利用して、前記動画像データを圧縮する、
請求項１乃至３のうちいずれか１項に記載の医用画像処理装置。
【請求項５】
前記圧縮部は、前記複数の投影データを表す複数の画像データを疑似的な動画像データとし、非可逆圧縮により前記動画像データを圧縮する、
請求項４に記載の医用画像処理装置。
【請求項６】
前記複数ビューの各ビューにおける投影データを示す画像データは、デュアルエナジースキャンにおける第１のエネルギー成分に係る投影データを表す成分と、第２のエネルギー成分に係る投影データを表す成分とを含む、
請求項５に記載の医用画像処理装置。
【請求項７】
前記圧縮部は、前記複数ビューのビュー毎に、照射Ｘ線を異なるエネルギー成分に高速に切り替えるデュアルエナジースキャンにおいて、第１のエネルギー成分に係る複数の投影データを表す複数の画像データを前記動画像データとして圧縮すると共に、第２のエネルギー成分に係る複数の投影データを表す複数の画像データを前記動画像データとして圧縮する、
請求項５に記載の医用画像処理装置。
【請求項８】
前記圧縮部は、前記複数ビューのビュー毎に、照射Ｘ線を異なるエネルギー成分に高速に切り替えるデュアルエナジースキャンにおいて、第１のエネルギー成分に係る複数の投影データを表す複数の画像データと、第２のエネルギー成分に係る複数の投影データを表す複数の画像データとを合成した複数の合成投影データを生成し、
前記複数ビューの各ビューにおける合成投影データを示す画像データは、前記第１のエネルギー成分に係る投影データを表す成分と、前記第２のエネルギー成分に係る投影データを表す成分とを含む、
請求項５に記載の医用画像処理装置。
【請求項９】
前記圧縮部は、前記複数の合成投影データと、前記第１のエネルギー成分に係る複数の投影データと、前記第２のエネルギー成分に係る複数の投影データとを記憶部に記憶させる、
請求項８に記載の医用画像処理装置。
【請求項１０】
複数の検出素子列からなるＸ線検出器と、
前記Ｘ線検出器から、複数ビューに対応する複数の投影データを収集する収集部と、
前記複数の投影データを圧縮する圧縮部と、
を備えるＸ線ＣＴ装置。
【発明の詳細な説明】
【技術分野】
【０００１】
本発明の実施形態は、医用画像処理装置及びＸ線ＣＴ（Computed Tomography）装置に関する。
【背景技術】
【０００２】
被検体の体内組織が画像化された医用画像データを生成する医用画像診断装置が存在する。医用画像診断装置としては、Ｘ線ＣＴ装置及びＭＲＩ（Magnetic Resonance Imaging）装置等が挙げられる。Ｘ線ＣＴ装置は、被検体にＸ線を照射することでＸ線検出器が検出した検出データを前処理することで生データを生成し、生データに基づいて、被検体のアキシャル断層又は３次元のＣＴ画像データを生成する。
【０００３】
ＣＴスキャン後に再構成条件等を変更して再構成（又は、再度の再構成）を行うようにするため、生データは一定期間保管されている必要がある。生データの伝送及び保管の効率化のため、生データの圧縮に関する各種の方法が提案されている。例えば、生データを、可逆圧縮を前提とする圧縮手法により圧縮する方法が挙げられる。その場合、生データの圧縮率は生データの内容に依存するため圧縮率が定まらない。従って、圧縮後の生データのデータ量の上限が確定しないため、十分な圧縮率を得られない場合に備えて、生データの転送性能や生データの記憶部の書き込み速度等に余裕を持たせなければならない。
【０００４】
また、生データは、従来のシングルスライス型の検出器の流れから、サイノグラム形式で取り扱われることが多い。しかしながら、サイノグラム形式の画像は、その一方の軸をビュー方向とする独特の画像として表現されるため、一般的な映像を対象とした画像圧縮技術では効率的に圧縮できず、専用の圧縮アルゴリズムが必要になる。これらの理由により、Ｘ線ＣＴ装置の生データに対して、生データの圧縮自体ほとんど行われていない。
【先行技術文献】
【特許文献】
【０００５】
【特許文献１】実開昭６２−１００８７５号公報
【発明の概要】
【発明が解決しようとする課題】
【０００６】
本発明が解決しようとする課題は、転送又は保管のためのデータ量を効果的に減らすことである。
【課題を解決するための手段】
【０００７】
実施形態に係る医用画像処理装置は、収集部と、圧縮部とを備える。収集部は、複数の検出素子列からなるＸ線検出器から、複数ビューに対応する複数の投影データを収集する。圧縮部は、複数の投影データを圧縮する。
【図面の簡単な説明】
【０００８】
【図１】図１は、実施形態に係るＸ線ＣＴ装置の構成を示す概略図。
【図２】図２は、実施形態に係るＸ線ＣＴ装置の機能を示すブロック図。
【図３】図３は、実施形態に係るＸ線ＣＴ装置の動作をフローチャートとして示す図。
【図４】図４は、実施形態に係るＸ線ＣＴ装置において、複数ビュー分の生データの表現形式の違いによる画像の違いを説明するための図。
【図５】図５は、実施形態に係るＸ線ＣＴ装置の第５変形例における処理の流れを示す図。
【図６】図６は、実施形態に係る医用画像処理装置の構成を示す概略図。
【図７】図７は、実施形態に係る医用画像処理装置の機能を示すブロック図。
【発明を実施するための形態】
【０００９】
以下、図面を参照しながら、医用画像処理装置及びＸ線ＣＴ装置の実施形態について詳細に説明する。
【００１０】
なお、Ｘ線ＣＴ装置によるデータ収集方式には、Ｘ線源とＸ線検出器とが１体として被検体の周囲を回転する回転／回転（Ｒ−Ｒ：Rotate/Rotate）方式や、リング状に多数の検出素子がアレイされ、Ｘ線管のみが被検体の周囲を回転する固定／回転（Ｓ−Ｒ：Stationary/Rotate）方式等の様々な方式がある。いずれの方式でも本発明を適用可能である。以下、実施形態に係るＸ線ＣＴ装置では、現在、主流を占めている第３世代の回転／回転方式を採用する場合を例にとって説明する。
【００１１】
１．実施形態に係るＸ線ＣＴ装置
図１は、実施形態に係るＸ線ＣＴ装置の構成を示す概略図である。図２は、実施形態に係るＸ線ＣＴ装置の機能を示すブロック図である。
【００１２】
図１は、実施形態に係るＸ線ＣＴ装置１を示す。Ｘ線ＣＴ装置１は、架台装置１０、寝台装置３０、及びコンソール装置４０を備える。架台装置１０及び寝台装置３０は、検査室に設置される。架台装置１０は、寝台装置３０に載置された被検体（例えば、患者）Ｐに関するＸ線の検出データ（「純生データ」とも呼ばれる）を取得する。図１において、説明の便宜上、架台装置１０を左側の上下に複数描画しているが、実際の構成としては、架台装置１０は１つである。
【００１３】
コンソール装置４０は、検査室に隣接する制御室に設置される。コンソール装置４０は、複数ビュー分の検出データに対して前処理を施すことで生データを生成し、生データに対して再構成処理を施すことでＣＴ画像データを再構成して表示する。
【００１４】
架台装置１０は、Ｘ線源（例えば、Ｘ線管）１１、Ｘ線検出器１２、回転部（例えば、回転フレーム）１３、Ｘ線高電圧装置１４、制御装置１５、ウェッジ１６、コリメータ１７、データ収集回路（ＤＡＳ：Data Acquisition System）１８を備える。なお、架台装置１０は、架台部の一例である。
【００１５】
Ｘ線管１１は、回転フレーム１３に備えられる。Ｘ線管１１は、Ｘ線高電圧装置１４からの高電圧の印加により、陰極（フィラメント）から陽極（ターゲット）に向けて熱電子を照射することでＸ線を発生する真空管である。例えば、Ｘ線管１１には、回転する陽極に熱電子を照射することでＸ線を発生させる回転陽極型のＸ線管がある。
【００１６】
なお、実施形態においては、一管球型のＸ線ＣＴ装置にも、Ｘ線管とＸ線検出器との複数のペアを回転リングに搭載したいわゆる多管球型のＸ線ＣＴ装置にも適用可能である。また、Ｘ線を発生させるＸ線源は、Ｘ線管１１に限定されるものではない。例えば、Ｘ線管１１に替えて、電子銃から発生した電子ビームを収束させるフォーカスコイル、電磁偏向させる偏向コイル、患者Ｐの半周を囲い偏向した電子ビームが衝突することによってＸ線を発生させるターゲットリングを含む第５世代方式によりＸ線を発生させてもよい。なお、Ｘ線管１１は、Ｘ線照射部の一例である。
【００１７】
Ｘ線検出器１２は、Ｘ線管１１に対向するように回転フレーム１３に備えられる。Ｘ線検出器１２は、Ｘ線管１１から照射されたＸ線を検出し、当該Ｘ線量に対応した検出データを電気信号としてＤＡＳ１８に出力する。Ｘ線検出器１２は、例えば、Ｘ線管の焦点を中心として１つの円弧に沿ってチャネル方向に複数のＸ線検出素子が配列された複数のＸ線検出素子列を有する。Ｘ線検出器１２は、例えば、チャネル方向に複数のＸ線検出素子が配列されたＸ線検出素子列がスライス方向（列方向、ｒｏｗ方向）に複数配列された構造を有する。
【００１８】
また、Ｘ線検出器１２は、例えば、グリッドと、シンチレータアレイと、光センサアレイとを有する間接変換型の検出器である。シンチレータアレイは、複数のシンチレータを有し、シンチレータは入射Ｘ線量に応じた光子量の光を出力するシンチレータ結晶を有する。グリッドは、シンチレータアレイのＸ線入射側の面に配置され、散乱Ｘ線を吸収する機能を有するＸ線遮蔽板を有する。なお、グリッドはコリメータ（１次元コリメータ又は２次元コリメータ）と呼ばれる場合もある。光センサアレイは、シンチレータからの光量に応じた電気信号に変換する機能を有し、例えば、光電子増倍管（フォトマルチプライヤー：ＰＭＴ）等の光センサを有する。
【００１９】
なお、Ｘ線検出器１２は、入射したＸ線を電気信号に変換する半導体素子を有する直接変換型の検出器であっても構わない。また、Ｘ線検出器１２は、Ｘ線検出部の一例である。
【００２０】
回転フレーム１３は、Ｘ線管１１及びＸ線検出器１２を対向支持する。回転フレーム１３は、後述する制御装置１５による制御の下、Ｘ線管１１及びＸ線検出器１２を一体として回転させる円環状のフレームである。なお、回転フレーム１３は、Ｘ線管１１及びＸ線検出器１２に加えて、Ｘ線高電圧装置１４やＤＡＳ１８を更に備えて支持する場合もある。また、回転フレーム１３は、回転部の一例である。
【００２１】
このように、Ｘ線ＣＴ装置１は、Ｘ線管１１とＸ線検出器１２とを対向させて支持する回転フレーム１３を患者Ｐの周りに回転させることで、複数ビュー、即ち、患者Ｐの３６０°分の検出データを収集する。なお、ＣＴ画像データの再構成方式は、３６０°分の検出データを用いるフルスキャン再構成方式には限定されない。例えば、Ｘ線ＣＴ装置１は、半周（１８０°）＋ファン角度分の検出データに基づいてＣＴ画像データを再構成するハーフ再構成方式を採ってもよい。
【００２２】
Ｘ線高電圧装置１４は、回転フレーム１３、又は、回転フレーム１３を回転可能に支持する非回転部分（例えば図示しない固定フレーム）に備えられる。Ｘ線高電圧装置１４は、変圧器（トランス）及び整流器等の電気回路を有する。Ｘ線高電圧装置１４は、後述する制御装置１５による制御の下、Ｘ線管１１に印加する高電圧を発生する機能を有する高電圧発生装置（図示省略）と、後述する制御装置１５による制御の下、Ｘ線管１１が照射するＸ線に応じた出力電圧の制御を行うＸ線制御装置（図示省略）を有する。高電圧発生装置は、変圧器方式であってもよいし、インバータ方式であっても構わない。なお、図１において、説明の便宜上、Ｘ線高電圧装置１４が、Ｘ線管１１に対してｘ軸の正方向の位置に配置されているが、Ｘ線管１１に対してｘ軸の負方向の位置に配置されてもよい。
【００２３】
制御装置１５は、処理回路及びメモリと、モータ及びアクチュエータ等の駆動機構とを有する。処理回路及びメモリの構成については、後述するコンソール装置４０の処理回路４５及びメモリ４１と同等であるので説明を省略する。
【００２４】
制御装置１５は、コンソール装置４０又は架台装置１０に取り付けられた、後述する入力インターフェースからの入力信号を受けて、架台装置１０及び寝台装置３０の動作制御を行う機能を有する。例えば、制御装置１５は、入力信号を受けて回転フレーム１３を回転させる制御や、架台装置１０をチルトさせる制御や、寝台装置３０及び天板３３を動作させる制御を行う。なお、架台装置１０をチルトさせる制御は、架台装置１０に取り付けられた入力インターフェースによって入力される傾斜角度（チルト角度）情報により、制御装置１５がＸ軸方向に平行な軸を中心に回転フレーム１３を回転させることによって実現される。なお、制御装置１５は架台装置１０に設けられてもよいし、コンソール装置４０に設けられてもよい。なお、制御装置１５は、制御部の一例である。
【００２５】
また、制御装置１５は、コンソール装置４０や架台装置１０に取り付けられた、後述する入力インターフェースから入力された撮像条件に基づいて、Ｘ線管１１の回転角度や、後述するウェッジ１６及びコリメータ１７の動作を制御する。
【００２６】
ウェッジ１６は、Ｘ線管１１のＸ線出射側に配置されるように回転フレーム１３に備えられる。ウェッジ１６は、制御装置１５による制御の下、Ｘ線管１１から照射されたＸ線量を調節するためのフィルタである。具体的には、ウェッジ１６は、Ｘ線管１１から患者Ｐに照射されるＸ線が予め定められた分布になるように、Ｘ線管１１から照射されたＸ線を透過して減衰させるフィルタである。例えば、ウェッジ１６（ウェッジフィルタ（Wedge Filter）、ボウタイフィルタ（bow−tie filter）は、所定のターゲット角度や所定の厚みとなるようにアルミニウムを加工したフィルタである。
【００２７】
コリメータ１７は、Ｘ線絞り又はスリットとも呼ばれ、Ｘ線管１１のＸ線出射側に配置されるように回転フレーム１３に備えられる。コリメータ１７は、制御装置１５による制御の下、ウェッジ１６を透過したＸ線の照射範囲を絞り込むための鉛板等であり、複数の鉛板等の組合せによってＸ線の照射開口を形成する。
【００２８】
ＤＡＳ１８は、回転フレーム１３に備えられる。ＤＡＳ１８は、制御装置１５による制御の下、Ｘ線検出器１２の各Ｘ線検出素子から出力される電気信号に対して増幅処理を行う増幅器と、制御装置１５による制御の下、電気信号をデジタル信号に変換するＡ／Ｄ（Analog to Digital）変換器とを有し、増幅及びデジタル変換後の検出データを生成する。ＤＡＳ１８によって生成された、複数ビュー分の検出データは、コンソール装置４０に転送される。
【００２９】
ここで、ＤＡＳ１８によって生成された検出データは、回転フレーム１３に設けられた発光ダイオード（ＬＥＤ）を有する送信機から光通信によって架台装置１０の固定フレームに設けられたフォトダイオードを有する受信機に送信され、コンソール装置４０に転送される。なお、回転フレーム１３から架台装置１０の固定フレームへの検出データの送信方法は、前述の光通信に限らず、非接触型のデータ伝送であれば如何なる方式を採用しても構わない。また、回転フレーム１３は、回転部の一例である。
【００３０】
寝台装置３０は、基台３１、寝台駆動装置３２、天板３３及び支持フレーム３４を備える。寝台装置３０は、スキャン対象の患者Ｐを載置し、制御装置１５による制御の下、患者Ｐを移動させる装置である。
【００３１】
基台３１は、支持フレーム３４を鉛直方向（ｙ軸方向）に移動可能に支持する筐体である。寝台駆動装置３２は、患者Ｐが載置された天板３３を天板３３の長軸方向（ｚ軸方向）に移動するモータ又はアクチュエータである。支持フレーム３４の上面に設けられた天板３３は、患者Ｐを載置可能な形状を有する板である。
【００３２】
なお、寝台駆動装置３２は、天板３３に加え、支持フレーム３４を天板３３の長軸方向（ｚ軸方向）に移動させてもよい。また、寝台駆動装置３２は、寝台装置３０の基台３１ごと移動させてもよい。本発明を立位ＣＴに応用する場合、天板３３に相当する患者移動機構を移動する方式であってもよい。また、ヘリカルスキャンや位置決め等のためのスキャノ撮影等、架台装置１０の撮像系と天板３３の位置関係の相対的な変更を伴う撮影を実行する場合は、当該位置関係の相対的な変更は天板３３の駆動によって行われてもよいし、架台装置１０の固定部の走行によって行われてもよく、またそれらの複合によって行われてもよい。
【００３３】
なお、実施形態では、非チルト状態での回転フレーム１３の回転軸又は寝台装置３０の天板３３の長手方向をｚ軸方向、ｚ軸方向に直交し、床面に対し水平である軸方向をｘ軸方向、ｚ軸方向に直交し、床面に対し垂直である軸方向をｙ軸方向とそれぞれ定義するものとする。
【００３４】
コンソール装置４０は、メモリ４１、ディスプレイ４２、入力インターフェース４３、ネットワークインターフェース４４、及び処理回路４５を備える。なお、コンソール装置４０は架台装置１０とは別体として説明するが、架台装置１０にコンソール装置４０又はコンソール装置４０の各構成要素の一部が含まれてもよい。また、以下の説明では、コンソール装置４０が単一のコンソールで全ての機能を実行するものとするが、これらの機能は、複数のコンソールが実行してもよい。なお、コンソール装置４０は、医用画像処理装置の一例である。
【００３５】
メモリ４１は、例えば、ＲＡＭ（Random Access Memory）、フラッシュメモリ（Flash Memory）等の半導体メモリ素子、ハードディスク、光ディスク等によって構成される。メモリ４１は、ＵＳＢ（Universal Serial Bus）メモリ及びＤＶＤ（Digital Video Disk）等の可搬型メディアによって構成されてもよい。メモリ４１は、処理回路４５において用いられる各種処理プログラム（アプリケーションプログラムの他、ＯＳ（Operating System）等も含まれる）や、プログラムの実行に必要なデータを記憶する。また、ＯＳに、操作者に対するディスプレイ４２への情報の表示にグラフィックを多用し、基礎的な操作を入力インターフェース４３によって行うことができるＧＵＩ（Graphic User Interface）を含めることもできる。
【００３６】
メモリ４１は、例えば、前処理前の検出データや、前処理後かつ再構成前の生データや、生データに基づく再構成後のＣＴ画像データを記憶する。前処理は、検出データに対する、対数変換処理、オフセット補正処理、チャンネル間の感度補正処理、ビームハードニング処理等のうち少なくとも１つを意味する。また、インターネット等の通信ネットワークを介してＸ線ＣＴ装置１と接続可能なクラウドサーバがＸ線ＣＴ装置１からの保存要求を受けて検出データ、生データ、又はＣＴ画像データを記憶するように構成されてもよい。なお、メモリ４１は、記憶部の一例である。
【００３７】
ディスプレイ４２は、各種の情報を表示する。例えば、ディスプレイ４２は、処理回路４５によって生成されたＣＴ画像データや、ユーザからの各種操作を受け付けるためのＧＵＩ（Graphical User Interface）等を出力する。例えば、ディスプレイ４２は、液晶ディスプレイやＣＲＴ（Cathode Ray Tube）ディスプレイ、ＯＬＥＤ（Organic Light Emitting Diode）ディスプレイ等である。また、ディスプレイ４２は、架台装置１０に設けられてもよい。また、ディスプレイ４２は、デスクトップ型でもよいし、コンソール装置４０本体と無線通信可能なタブレット端末等で構成されることにしてもよい。なお、ディスプレイ４２は、表示部の一例である。
【００３８】
入力インターフェース４３は、技師等の操作者によって操作が可能な入力デバイスと、入力デバイスからの信号を入力する入力回路とを含む。入力デバイスは、マウス、キーボード、トラックボール、スイッチ、ボタン、ジョイスティック、操作面に触れることで入力操作を行うタッチパッド、表示画面とタッチパッドとが一化されたタッチスクリーン、光学センサを用いた非接触入力回路、音声入力回路等によって実現される。入力デバイスが操作者から入力操作を受け付けると、入力回路は当該入力操作に応じた電気信号を生成して処理回路４５に出力する。また、入力インターフェース４３は、架台装置１０に設けられてもよい。また、入力インターフェース４３は、コンソール装置４０本体と無線通信可能なタブレット端末等で構成されてもよい。なお、入力インターフェース４３は、入力部の一例である。
【００３９】
ネットワークインターフェース４４は、パラレル接続仕様やシリアル接続仕様に合わせたコネクタによって構成される。Ｘ線ＣＴ装置１がネットワーク上に設けられる場合、ネットワークインターフェース４４は、ネットワーク上の外部装置と情報の送受信を行なう。例えば、ネットワークインターフェース４４は、処理回路４５の制御の下、外部装置からＣＴ検査に係る検査オーダを受信し、また、Ｘ線ＣＴ装置１によって取得された検出データや、生成された生データ又はＣＴ画像データを外部装置に送信する。
【００４０】
ここで、Ｘ線ＣＴ装置１に検査オーダを送信する外部装置は、ＭＷＭ（Modality Worklist Management）サーバ等である。Ｘ線ＣＴ装置１からのデータを受信する外部装置は、画像サーバ、読影端末、図６に図示する医用画像処理装置５０等である。なお、ネットワークインターフェース４４は、通信部の一例である。
【００４１】
処理回路４５は、Ｘ線ＣＴ装置１の全体の動作を制御する。処理回路４５は、専用又は汎用のＣＰＵ（Central Processing Unit）、ＭＰＵ（Micro Processor Unit）、又はＧＰＵ（Graphics Processing Unit）の他、ＡＳＩＣ、及び、プログラマブル論理デバイス等を意味する。プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）、及び、フィールドプログラマブルゲートアレイ（ＦＰＧＡ：Field Programmable Gate Array）等が挙げられる。
【００４２】
また、処理回路４５は、単一の回路によって構成されてもよいし、複数の独立した処理回路要素の組み合わせによって構成されてもよい。後者の場合、メモリは処理回路要素ごとに個別に設けられてもよいし、単一のメモリが複数の処理回路要素の機能に対応するプログラムを記憶するものであってもよい。
【００４３】
処理回路４５は、メモリ４１に記憶されたプログラムを実行することで、スキャン制御機能４５１、前処理機能４５２、圧縮機能４５３、及び再構成処理機能４５４を実現する。なお、機能４５１〜４５４の全部又は一部は、コンソール装置４０のプログラムの実行により実現される場合に限定されるものではなく、コンソール装置４０にＡＳＩＣ等の回路として備えられる場合であってもよい。また、機能４５１〜４５４の全部又は一部は、コンソール装置４０のみならず、制御装置１５に備えられる場合もある。
【００４４】
スキャン制御機能４５１は、予め設定されたスキャン条件に従って制御装置１５を介してＸ線管１１及びＸ線検出器１２等を制御することでＣＴスキャンを実行させ、制御装置１５から複数ビュー分の検出データを収集する機能を含む。例えば、スキャン条件は、照射Ｘ線に関する、管電流ｍＡ、管電圧ｋＶ、Ｘ線強度制御条件（モジュレーション条件）、Ｘ線管１１（又は、回転フレーム１３）の回転速度等を含む。なお、スキャン制御機能４５１は、スキャン制御部の一例である。
【００４５】
前処理機能４５２は、スキャン制御機能４５１によって収集された複数ビュー分の検出データに対して前処理を施すことで、複数ビュー分の生データを複数の投影データとして収集する機能を含む。なお、前処理機能４５２は、前処理部又は収集部の一例である。
【００４６】
圧縮機能４５３は、前処理機能４５２によって収集された複数の投影データを圧縮する機能を含む。また、圧縮機能４５３は、圧縮後の複数の投影データをメモリ４１に記憶させる機能や、圧縮後の動画像データをネットワークインターフェース４４を介して外部装置に送信する機能を含む場合もある。なお、圧縮機能４５３は、圧縮部の一例である。
【００４７】
ここで、圧縮機能４５３は、複数の投影データのうち隣接する投影データ同士の相関性を利用して、複数の投影データを表す複数の画像データを疑似的な動画像データとして取り扱う。これにより、圧縮機能４５３は、一般的な映像の非可逆圧縮に利用される方法により複数の投影データを動画像データとして、圧縮することができる。非可逆圧縮とは、圧縮前のデータと、圧縮及び展開を経たデータとが完全には一致しないデータ圧縮方法を意味する。例えば、動画像データの不可逆圧縮として、ＭＰＥＧ−１、ＭＰＥＧ−２、ＭＰＥＧ−４等が挙げられる。
【００４８】
一般的な映像に対する圧縮技術は急速に進歩するとともに一般化してきている。非可逆圧縮であっても、元画像の僅か数％のデータ量で非常に精細な映像の伝送及び保存が可能になってきている。非可逆圧縮を生データの圧縮に適用するにあたり、圧縮率を適切な値まで低下（データ量としては増大）させることにより、問題ない画質とデータ量を両立できると考えられる。Ｘ線ＣＴ装置１の生データの場合は、Ｘ線管１１の放電などの特殊な場合を除き、ＣＴ画像全体に及ぶ生データの急変はないため、非可逆圧縮を行ったとしてもＣＴ画像の画質を維持することができる。
【００４９】
再構成処理機能４５４は、圧縮機能４５３によって圧縮後の動画像データに基づいて、必要に応じて圧縮後の動画像データを展開し、画像再構成処理によりＣＴ画像データを生成する機能を含む。また、再構成処理機能４５４は、ＣＴ画像データをメモリ４１に記憶させる機能や、ＣＴ画像データをＣＴ画像としてディスプレイ４２に表示させる機能や、ＣＴ画像データをネットワークインターフェース４４を介して外部装置に送信する機能を含む場合もある。
【００５０】
再構成処理機能４５４は、圧縮機能４５３によって圧縮後の動画像データを、再構成条件変更後の再度の再構成に使用する場合は、再度の再構成の前に、前処理機能４５２によって前処理された後の複数ビュー分の生データに基づいて、画像再構成処理によりＣＴ画像データを生成する。なお、再構成処理機能４５４は、再構成処理部の一例である。
【００５１】
なお、機能４５１〜４５４の詳細については、図３〜図５を用いて後述する。
【００５２】
図３は、Ｘ線ＣＴ装置１の動作をフローチャートとして示す図である。図３において、「ＳＴ」に数字を付した符号はフローチャートの各ステップを示す。
【００５３】
ＣＴスキャンの実行予定の患者Ｐを天板３３に載置させた状態で、操作者が入力インターフェース４３を操作することで、スキャン制御機能４５１は、予め設定されたスキャン条件に従って制御装置１５を介してＸ線管１１及びＸ線検出器１２等を制御することで、ボリュームスキャン及びヘリカルスキャン等のＣＴスキャンを実行させる（ステップＳＴ１）。スキャン制御機能４５１は、ＣＴスキャンにより、制御装置１５から複数ビュー分の検出データを収集する。なお、ステップＳＴ１によるＣＴスキャンの実行に先立って行われるプリスキャン（「スキャノ撮影」又は「スカウト撮影」とも呼ばれる）については、説明を省略する。
【００５４】
前処理機能４５２は、ステップＳＴ１のＣＴスキャンによって収集された複数ビュー分の検出データに対して前処理を施すことで、複数ビュー分の生データを複数の投影データとして収集する（ステップＳＴ２）。なお、生データ（又は、検出データ）に付加すべきスキャン実施時の各種データは、圧縮前に回転フレーム１３で付加したり、圧縮後に固定フレームで付加したりすることができる。
【００５５】
図４は、複数ビュー分の生データの表現形式の違いによる画像の違いを説明するための図である。
【００５６】
図４の左側上段は、Ｘ線検出器１２が少数、例えば、１個の検出素子列を備える場合（いわゆるシングルスライス検出器の場合）に生成される複数ビュー分の生データを、サイノグラム形式で表現した場合の画像の一例を示す。サイノグラム形式の画像の縦軸はビュー方向に対応する一方、横軸はＸ線検出器１２のチャンネル方向に対応する。図４の右側上段は、Ｘ線検出器１２が多数、例えば、６４個の検出素子列を備える場合（いわゆるマルチスライス検出器の場合）に生成される複数ビュー分の生データを、サイノグラム形式で表現した場合の画像の一例を示す。サイノグラム形式の画像は、縦軸をビュー方向とする独特の画像として表現されるため、一般的な映像を対象とした非可逆圧縮では圧縮できず、専用の圧縮アルゴリズムが必要になる。
【００５７】
また、図４の左側下段は、Ｘ線検出器１２が１個の検出素子列を備える場合に生成される複数ビュー分の生データを、投影データ形式で表現した場合の画像の一例を示す。投影データ形式の画像の縦軸はＸ線検出器１２の列方向に対応する一方、横軸はＸ線検出器１２のチャンネル方向に対応する。シングルスライス検出器の場合、投影データ形式の画像であっても、両軸をＸ線検出器１２の２方向とする「画像」として表現され得ないため、ＭＰＥＧ等の非可逆圧縮方法を用いて圧縮しようとしても圧縮効率が悪い。
【００５８】
一方で、図４の右側下段は、Ｘ線検出器１２が６４個の検出素子列を備える場合に生成される複数ビュー分の生データを、投影データ形式で表現した場合の画像の一例を示す。このように、投影データ形式の画像は、両軸をＸ線検出器１２の２方向とする「画像」として表現されるため、圧縮機能４５３は、複数の投影データを表す複数の画像データを動画像データとしてＭＰＥＧ等の非可逆圧縮方法を用いて効率よく圧縮できる。
【００５９】
図３の説明に戻って、圧縮機能４５３は、ステップＳＴ２によって収集された複数の投影データのうち隣接する投影データ同士の相関性を利用して、複数の投影データを圧縮する（ステップＳＴ３）。圧縮機能４５３は、図４の右側下段の複数の画像データを疑似的な動画像データとし、非可逆圧縮により動画像データを圧縮することができる。圧縮機能４５３は、ステップＳＴ３によって圧縮後の動画像データをメモリ４１に記憶させたり、圧縮後の動画像データをネットワークインターフェース４４を介して外部装置に送信したりする（ステップＳＴ４）。
【００６０】
再構成処理機能４５４は、ステップＳＴ３によって圧縮後の動画像データに基づいて、必要に応じて圧縮後の動画像データを展開し、画像再構成処理によりＣＴ画像データを生成する（ステップＳＴ５）。再構成処理機能４５４は、ステップＳＴ５によって生成されたＣＴ画像データをメモリ４１に記憶させたり、ＣＴ画像データをＣＴ画像としてディスプレイ４２に表示させたり、ＣＴ画像データをネットワークインターフェース４４を介して外部装置に送信したりする（ステップＳＴ６）。
【００６１】
Ｘ線ＣＴ装置１によれば、前処理機能４５２が、複数ビュー分の生データを複数の投影データとして収集し、圧縮機能４５３が、複数の投影データを表す複数の画像データを疑似的な動画像データとして取り扱い、動画像データに対して非可逆圧縮等の圧縮を行う。これにより、Ｘ線ＣＴ装置１によれば、コンソール装置４０内の転送、画像サーバ等の外部装置へのデータ転送、又は、メモリ４１への保管のためのデータ量を効果的に減らすことができる。また、データ転送は、コンソール装置４０内の転送に限定されるものではなく、回転フレーム１３内で複数ビュー分の生データの非可逆圧縮を行えば、回転フレーム１３内のデータ転送や、回転フレーム１３から固定フレームへのデータ転送におけるデータ量の削減も実現することができる。
【００６２】
２．第１変形例
前述の説明では、前処理機能４５２が、前処理後の複数ビュー分の生データを、複数の投影データとして収集する場合について説明したがその場合に限定されるものではない。例えば、前処理機能４５２は、前処理前の、複数ビュー分の検出データを複数の投影データとして収集してもよい。その場合、圧縮機能４５３は、複数の投影データを動画像データとして圧縮する。前処理機能４５２は、圧縮機能４５３による圧縮後の動画像データに対して、必要に応じて展開した上で、前処理を行う。そして、再構成処理機能４５４は、当該前処理後の動画像データ基づいて、画像再構成処理によりＣＴ画像データを生成する。
【００６３】
また、圧縮機能４５３は、前処理前の動画像データをメモリ４１に記憶させることもでき、前処理前の動画像データをネットワークインターフェース４４を介して外部装置に送信することもでき、前処理前の動画像データを動画像としてディスプレイに表示させることもできる。外部装置に送信された動画像データは前処理が施されていないので、外部装置は、送信された前処理機能４５２は、動画像データに対して、必要に応じて展開した上で、前処理を施した上で、再構成処理を行う。
【００６４】
Ｘ線ＣＴ装置１の第１変形例によれば、前処理機能４５２が、複数ビュー分の検出データを複数の投影データとして収集し、圧縮機能４５３が、複数の投影データを表す複数の画像データを疑似的な動画像データとして取り扱い、動画像データに対して非可逆圧縮等の圧縮を行う。これにより、Ｘ線ＣＴ装置１の第１変形例によれば、コンソール装置４０内の転送、画像サーバ等の外部装置へのデータ転送、又は、メモリ４１への保管のためのデータ量を効果的に減らすことができる。また、データ転送は、コンソール装置４０内の転送に限定されるものではなく、回転フレーム１３内で複数ビュー分の検出データの非可逆圧縮を行えば、回転フレーム１３内のデータ転送や、回転フレーム１３から固定フレームへのデータ転送におけるデータ量の削減も実現することができる。
【００６５】
３．第２変形例
Ｘ線ＣＴ装置１は、Ｘ線検出器１２として、Ｘ線のエネルギー成分（線質）によって感度特性の異なる複数の検出層を積層した検出器（例えば、２層検出器）を有する場合もある。その場合、多層検出器は、高エネルギー用の第１検出層と、低エネルギー用の第２検出層とを備え、スキャン制御機能４５１は、ＣＴスキャンとして、いわゆるデュアルエナジースキャンを実行する。デュアルエナジースキャンにより、前処理機能４５２は、第１検出層からの複数ビュー分の検出データに基づく、高エネルギー成分のみに対応する複数の投影データを収集する。一方で、前処理機能４５２は、第２検出層からの複数ビュー分の検出データに基づく、低エネルギー成分のみに対応する複数の投影データを収集する。
【００６６】
各ビューには、高エネルギー成分の投影データを表す画像と、低エネルギー成分の投影データを表す画像とが存在する。各ビューの投影データを示す２枚の画像を１枚の静止画像と見る場合、静止画像の一部を高エネルギー成分に係る投影データを表す成分としＲＧＢ（Red, Green, Blue）のいずれかの要素に対応させ、静止画像の一部を低エネルギー成分に係る投影データを表す成分とし他の要素に対応させることで、隣接するビュー間の画像同士に強い相関性があると考えられる。そこで、圧縮機能４５３は、一般的な映像を非可逆圧縮する場合と同様に、複数ビューに係る複数の静止画像を疑似的な動画像データとすることで、エネルギー間の相関性も利用して非可逆圧縮を行うことができる。
【００６７】
このように、Ｘ線ＣＴ装置１の第２変形例によれば、多層構造のＸ線検出器１２を利用してデュアルエナジースキャンにより生データ（又は、検出データ）を収集する場合であっても、コンソール装置４０内の転送、画像サーバ等の外部装置へのデータ転送、又は、メモリ４１への保管のためのデータ量を効果的に減らすことができる。
【００６８】
４．第３変形例
Ｘ線ＣＴ装置１は、Ｘ線検出器１２として、Ｘ線のエネルギー成分によって感度特性の異なる複数の検出素子を検出エリアごとに配置した検出器を有する場合もある。例えば、奇数チャンネルに相当する検出エリアの検出素子グループと、偶数チャンネルに相当する検出エリアの検出素子グループとで異なる感度特性を有する場合である。その場合、当該検出器は、高エネルギー用の第１検出素子グループと、低エネルギー用の第２検出素子グループとを備え、スキャン制御機能４５１は、ＣＴスキャンとして、いわゆるデュアルエナジースキャンを実行する。デュアルエナジースキャンにより、前処理機能４５２は、第１検出素子グループからの複数ビュー分の検出データに基づく、高エネルギーのみに対応する複数の投影データを収集する。一方で、前処理機能４５２は、第２検出素子グループからの複数ビュー分の検出データに基づく、低エネルギーのみに対応する複数の投影データを収集する。
【００６９】
各ビューには、高エネルギー成分の投影データを表す画像と、低エネルギー成分の投影データを表す画像とが存在する。各ビューの投影データを示す２枚の画像を１枚の静止画像と見る場合、静止画像の一部を高エネルギー成分に係る投影データを表す成分としＲＧＢのいずれかの要素に対応させ、静止画像の一部を低エネルギー成分に係る投影データを表す成分とし他の要素に対応させることで、隣接するビュー間の画像同士に強い相関性があると考えられる。そこで、圧縮機能４５３は、一般的な映像を非可逆圧縮する場合と同様に、複数ビューに係る複数の静止画像を疑似的な動画像データとすることで、エネルギー間の相関性も利用して非可逆圧縮を行うことができる。
【００７０】
このように、Ｘ線ＣＴ装置１の第３変形例によれば、エリア構造のＸ線検出器１２を利用してデュアルエナジースキャンにより生データ（又は、検出データ）を収集する場合であっても、コンソール装置４０内の転送、画像サーバ等の外部装置へのデータ転送、又は、メモリ４１への保管のためのデータ量を効果的に減らすことができる。
【００７１】
５．第４変形例
Ｘ線ＣＴ装置１は、回転フレーム１３の１回転中にＸ線のエネルギー成分を変動させる方式をとる場合であってもよい。つまり、Ｘ線ＣＴ装置１は、回転フレーム１３の１回転中のビュー毎に、照射Ｘ線を異なるエネルギー成分に高速に切り替えて、ＣＴスキャンとして、デュアルエナジースキャンを実行する。この切り替え方式は、「Ｆａｓｔ−ｋＶ  ｓｗｉｔｃｈｉｎｇ方式（高速スイッチング方式）」とも呼ばれる。
【００７２】
この場合、前処理機能４５２によって収集される複数の投影データにおいて、第１のエネルギー成分（例えば、高エネルギー成分）に係る投影データと、第２のエネルギー成分（例えば、低エネルギー成分）に係る投影データとが交互に現れる。例えば、高エネルギー成分について、奇数ビュー分の複数の投影データが得られ、低エネルギー成分について、偶数ビュー分の複数の投影データが得られる。
【００７３】
高速スイッチング方式における複数の投影データについては、エネルギー成分ごとに分割して処理した方が隣接するビュー間の投影データの相関性が高くなる可能性がある。つまり、全ビュー分の複数の投影データを示す複数の画像を一連の動画像データとして取り扱うと、隣接フレーム間の相関性は低くなってしまう。そこで、前処理機能４５２は、全ビュー分の複数の投影データのうち、高エネルギー成分に対応する奇数ビュー分の複数の投影データを疑似的な第１の動画像として収集し、低エネルギー成分に対応する偶数ビュー分の複数の投影データを疑似的な第２の動画像として収集し、圧縮機能４５３は、第１の動画像及び第２の動画像を格別に圧縮する。
【００７４】
このように、Ｘ線ＣＴ装置１の第４変形例によれば、高速スイッチング方式のデュアルエナジースキャンにより生データ（又は、検出データ）を収集する場合であっても、コンソール装置４０内の転送、画像サーバ等の外部装置への転送、又は、メモリ４１への保管のためのデータ量を効果的に減らすことができる。
【００７５】
６．第５変形例
前述の第４変形例においてエネルギー成分ごとに分割して得られる高エネルギー成分に係る各投影データを示す画像と、低エネルギー成分に係る各投影データを示す画像とを、Ｘ線検出器１２の各検出器セル（画像のピクセルに相当）が異なる要素の値（画像ではＲＧＢに相当）となるように合成することで画像を生成することもできる。
【００７６】
図５は、Ｘ線ＣＴ装置１の第５変形例における処理の流れを示す図である。
【００７７】
図５の最上段は、高エネルギー成分に係る奇数ビュー分の複数の投影データを示す画像と、低エネルギー成分に係る偶数ビュー分の複数の投影データを示す画像とが交互に現れる複数の画像を示す。例えば、全ビュー分の複数の投影データが２個のエネルギー成分に分割される場合、圧縮機能４５３は、高エネルギー成分に係る各画像をＲＧＢのＢ要素に対応させる一方で、低エネルギー成分に係る各画像をＲＧＢのＲ要素に対応させる。なお、全ビュー分の複数の投影データが３個のエネルギー成分に分割される場合、圧縮機能４５３は、各エネルギー成分の複数の画像をＲＧＢのそれぞれの要素に対応させればよい。
【００７８】
圧縮機能４５３は、図５の上から２段目に示すように、最上段の複数の投影データを示す複数の画像を、高エネルギー成分に係る複数の投影データを示す複数の画像（Ｂ要素）と、低エネルギー成分に係る複数の投影データを示す複数の画像（Ｒ要素）とに分割する。
【００７９】
分割された高エネルギー成分に係る複数の画像（Ｂ要素）は、ビューが離間している。そこで、圧縮機能４５３は、図５の上から３段目の高エネルギー成分に示すように、２段目の複数の投影データを示す複数の画像に基づいて補間処理を行うことで、高エネルギー成分に係る複数の補間投影データを表す複数の画像（Ｂ要素）を生成する。圧縮機能４５３は、低エネルギー成分に係る複数の画像（Ｒ要素）についても、高エネルギー成分に係る複数の画像（Ｂ要素）と同様に処理を行い、低エネルギー成分に係る複数の補間投影データを表す複数の画像（Ｒ要素）を生成する。
【００８０】
圧縮機能４５３は、図５の最下段に示すように、高エネルギー成分に係る複数の補間投影データを表す複数の画像（Ｂ要素）と、低エネルギー成分に係る複数の補間投影データを表す複数の画像（Ｒ要素）とをビューごとに合成することで、複数の合成投影データを表す複数の画像を生成する。各合成投影データを表す画像のＲＧＢ要素のＢ要素は、高エネルギー成分に係る画像に対応し、Ｒ要素は、低エネルギー成分に係る画像に対応する。２個のエネルギー成分の場合、ＲＧＢの他のＧ要素は、「０」でよい。これにより、圧縮機能４５３は、異なるエネルギー成分間の相関性も利用して疑似的な動画像データの非可逆圧縮を行うことができる。
【００８１】
なお、圧縮機能４５３は、複数の合成投影データをメモリ５１に記憶させる場合に限定されるものではない。例えば、圧縮機能４５３は、複数の合成投影データに加え、各エネルギー成分の複数の補間投影データをメモリ５１に記憶させてもよい。また、例えば、ビューごとに、合成投影データと高エネルギー成分の補間投影データとの差分である差分投影データと、合成投影データと低エネルギー成分の補間投影データとの差分である差分投影データとを算出し、それらを合成投影データと共にメモリ５１に記憶させてもよい。ともに、後段の処理において各エネルギー成分の複数の補間投影データを再現できるが、後者の場合の方が、データ容量をより抑えることができる。
【００８２】
このように、Ｘ線ＣＴ装置１の第５変形例によれば、第５変形例と同等な効果が得られる。
【００８３】
７．実施形態に係る医用画像処理装置
図１〜図５を用いて説明した本発明の技術思想を医用画像処理装置に適用することもできる。医用画像処理装置は、ネットワークを介してデータ送受信可能にＸ線ＣＴ装置に接続される。医用画像処理装置としては、例えば、Ｘ線ＣＴ装置によって生成された再構成前の検出データ又は生データやＣＴ画像データに対して各種処理を施すワークステーションや、タブレット端末等の携帯型情報処理端末等や、ＣＴ画像データ等のデータを表示して医者が読影を行うための読影端末が挙げられる。なお、医用画像処理装置はオフラインの装置であって、Ｘ線ＣＴ装置によって生成されたデータを可搬型の記憶媒体を介して読み出し可能な装置であってもよい。
【００８４】
図６は、実施形態に係る医用画像処理装置の構成を示す概略図である。図７は、実施形態に係る医用画像処理装置の機能を示すブロック図である。
【００８５】
図６は、実施形態に係る医用画像処理装置５０を示す。医用画像処理装置５０は、メモリ５１、ディスプレイ５２、入力インターフェース５３、ネットワークインターフェース５４、及び処理回路５５を備える。
【００８６】
メモリ５１は、図１に示すメモリ４１と同等の構成を有する。メモリ５１は、例えば、前処理前の検出データや、前処理後かつ再構成前の生データや、再構成後のＣＴ画像データを記憶する。なお、メモリ５１は、記憶部の一例である。
【００８７】
ディスプレイ５２は、図１に示すディスプレイ４２と同等の構成を有する。ディスプレイ５２は、各種の情報を表示する。例えば、ディスプレイ５２は、処理回路５５によって生成されたＣＴ画像データや、操作者からの各種操作を受け付けるためのＧＵＩ等を出力する。なお、ディスプレイ５２は、表示部の一例である。
【００８８】
入力インターフェース５３は、図１に示す入力インターフェース４３と同等の構成を有する。入力インターフェース５３の入力デバイスが操作者から入力操作を受け付けると、入力回路は当該入力操作に応じた電気信号を生成して処理回路５５に出力する。なお、入力インターフェース５３は、入力部の一例である。
【００８９】
ネットワークインターフェース５４は、図１に示すネットワークインターフェース５４と同等の構成を有する。ネットワークインターフェース５４は、処理回路５５による制御の下、Ｘ線ＣＴ装置から、前処理前の検出データや、前処理後かつ再構成前の生データや、再構成後のＣＴ画像データを受信する。なお、ネットワークインターフェース５４は、通信部の一例である。
【００９０】
処理回路５５は、図１に示す処理回路４５と同等の構成を有する。処理回路５５は、医用画像処理装置５０の全体の動作を制御する。
【００９１】
処理回路５５は、メモリ５１に記憶されたプログラムを実行することで、圧縮機能４５３、再構成処理機能４５４、及び収集機能４５５を実現する。なお、機能４５３〜４５５の全部又は一部は、医用画像処理装置５０のプログラムの実行により実現される場合に限定されるものではなく、医用画像処理装置５０にＡＳＩＣ等の回路として備えられる場合であってもよい。
【００９２】
収集機能４５５は、ネットワークインターフェース５４を介してＸ線ＣＴ装置等の外部装置から、複数ビュー分の生データ（又は、複数ビュー分の検出データ）を、複数の投影データとして収集する機能を含む。なお、図７において、図２に示す部材と同一部材には同一符号を付して説明を省略する。
【００９３】
医用画像処理装置５０によれば、収集機能４５５が、複数ビュー分の生データを複数の投影データとして収集し、圧縮機能４５３が、複数の投影データを表す複数の画像データを疑似的な動画像データとして取り扱い、動画像データに対して非可逆圧縮等の圧縮を行う。これにより、医用画像処理装置５０によれば、医用画像処理装置５０内の転送、画像サーバ等の外部装置への転送、又は、メモリ５１への保管のためのデータ量を効果的に減らすことができる。
【００９４】
なお、スキャン制御機能４５１は、スキャン制御部の一例である。前処理機能４５２は、前処理部又は取集部の一例である。圧縮機能４５３は、圧縮部の一例である。再構成処理機能４５４は、再構成処理部の一例である。収集機能４５５は、収集部の一例である。
【００９５】
以上説明した少なくとも１つの実施形態によれば、転送又は保管のためのデータ量を効果的に減らすことができる。
【００９６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９７】
１  Ｘ線ＣＴ装置
１１  Ｘ線源（Ｘ線管）
１２  Ｘ線検出器
４０  コンソール装置（医用画像処理装置）
４５  処理回路
５０  医用画像処理装置
５５  処理回路
４５１  スキャン制御機能
４５２  前処理機能
４５３  圧縮機能
４５４  再構成処理機能
４５５  収集機能
【図１】
2020005795.tif 000003
【図２】
2020005795.tif 000004
【図３】
2020005795.tif 000005
【図４】
2020005795.tif 000006
【図５】
2020005795.tif 000007
【図６】
2020005795.tif 000008
【図７】
2020005795.tif 000009